(57)【要約】【課題】  感光体の構造や回転速度或いは画像スクリーンが異なる場合に、ハイライト部分の再現性や線画像の再現性を損なうことなく所望のベタ濃度を得ることができ、さらに露光装置において使用可能な光量可変レンジを広く確保できるようにすることを目的とする。【解決手段】  画像形成ユニット１Ｙ，１Ｍ，１Ｃについては、帯電電位600（Ｖ）を得るための帯電電位設定と、帯電電位600（Ｖ）において露光電位200（Ｖ）を得るための露光電位設定を実行する。一方、画像形成ユニット１Ｋについては、帯電電位700（Ｖ）を得るための帯電電位設定と、帯電電位700（Ｖ）において露光電位300（Ｖ）を得るための露光電位設定を実行する。【選択図】        図３
2005078030.tif 000002
【特許請求の範囲】
【請求項１】
黒色の画像を形成する黒用画像形成ユニットと、黒以外の色の画像を形成するカラー用画像形成ユニットとを備えた画像形成装置であって、
前記画像形成ユニットの各々は、
感光体と、
前記感光体を決められた帯電電位に帯電させる帯電装置と、
現像される時に決められた露光電位になるような量の光を前記感光体に照射することによって、当該感光体表面に静電潜像を形成する露光装置と、
前記静電潜像を現像する現像装置とを備え、
さらに、前記黒用画像形成ユニットが有する露光装置が当該画像形成ユニットの感光体に照射する光の量と、前記カラー用画像形成ユニットが有する露光装置が当該画像形成ユニットの感光体に照射する光の量との差が減少するように、前記黒用画像形成ユニットと前記カラー用画像形成ユニットとで前記帯電電位または前記露光電位のうち少なくとも一方を異なる電位に設定する制御手段を備える画像形成装置。
【請求項２】
前記黒用画像形成ユニットの感光体と前記カラー用画像形成ユニットの感光体とは感光体の種類が異なっている請求項１記載の画像形成装置。
【請求項３】
前記黒用画像形成ユニットの感光体と前記カラー用画像形成ユニットの感光体とは径が異なっている請求項１記載の画像形成装置。
【請求項４】
前記黒用画像形成ユニットの感光体と前記カラー用画像形成ユニットの感光体とは膜厚が異なっている請求項１記載の画像形成装置。
【請求項５】
前記制御手段は、前記帯電電位と前記露光電位との差分を一定に保ったまま前記黒用画像形成ユニットと前記カラー用画像形成ユニットとで帯電電位または露光電位のうち少なくとも一方を異なる電位に設定する請求項１〜４のいずれか１に記載の画像形成装置。
【請求項６】
前記画像形成ユニットの使用環境或いは使用状況に応じて前記帯電電位または前記露光電位を補正する補正手段を備え、
前記制御手段は、前記補正手段による補正の前後にわたって、前記黒用画像形成ユニットが有する露光装置が当該画像形成ユニットの感光体に照射する光の量と、前記カラー用画像形成ユニットが有する露光装置が当該画像形成ユニットの感光体に照射する光の量との差が減少するように、前記黒用画像形成ユニットと前記カラー用画像形成ユニットとで前記帯電電位または前記露光電位のうち少なくとも一方を異なる電位に設定する請求項１〜５のいずれか１に記載の画像形成装置。
【請求項７】
黒色の画像を形成する黒用画像形成ユニットと、黒以外の色の画像を形成するカラー用画像形成ユニットとを備えた画像形成装置であって、
前記画像形成ユニットの各々は、
感光体と、
前記感光体を決められた帯電電位に帯電させる帯電装置と、
現像される時に決められた露光電位になるような量の光を前記感光体に照射することによって、当該感光体表面に静電潜像を形成する露光装置と、
前記静電潜像を現像する現像装置とを備え、
さらに、黒色のみの画像を形成する場合に前記黒用画像形成ユニットが有する露光装置が当該画像形成ユニットの感光体に照射する光の量と、黒以外の色を含む画像を形成する場合に前記各画像形成ユニットが有する露光装置が当該画像形成ユニットの感光体に照射する光の量との差が減少するように、黒色のみの画像を形成する場合と黒以外の色を含む画像を形成する場合とで前記帯電電位または前記露光電位のうち少なくとも一方を異なる電位に設定する制御手段を備える画像形成装置。
【請求項８】
黒色のみの画像を形成する場合と黒以外の色を含む画像を形成する場合とでは、前記感光体が回転する速度が異なる請求項７記載の画像形成装置。
【請求項９】
黒色のみの画像を形成する場合と黒以外の色を含む画像を形成する場合とでは、形成する画像のスクリーンが異なる請求項７記載の画像形成装置。
【請求項１０】
前記制御手段は、前記帯電電位と前記露光電位との差分を一定の値に保ったまま、黒のみの画像を形成する場合と黒以外の色を含む画像を形成する場合とで前記帯電電位または前記露光電位のうち少なくとも一方を異なる電位に設定する請求項７〜９のいずれか１に記載の画像形成装置。
【請求項１１】
前記画像形成ユニットの使用環境或いは使用状況に応じて前記帯電電位または前記露光電位を補正する補正手段を備え、
前記制御手段は、前記補正手段による補正の前後にわたって、黒色のみの画像を形成する場合に前記黒用画像形成ユニットが有する露光装置が当該画像形成ユニットの感光体に照射する光の量と、黒以外の色を含む画像を形成する場合に前記各画像形成ユニットが有する露光装置が当該画像形成ユニットの感光体に照射する光の量との差が減少するように、黒色のみの画像を形成する場合と黒以外の色を含む画像を形成する場合とで前記帯電電位または前記露光電位のうち少なくとも一方を異なる電位に設定する請求項７〜１０のいずれか１に記載の画像形成装置。
【発明の詳細な説明】
【技術分野】
【０００１】
本発明は、感光体の構造や回転速度或いは画像スクリーンが異なる場合であっても、ハイライト部分の再現性や線画像の再現性を損なわずに画像形成を行うための技術に関する。
【背景技術】
【０００２】
複数の画像形成ユニットを備えたタンデム型の多色（カラー）画像形成装置は、黒単色の画像形成時とほぼ同じスピードでカラー画像を形成できるという利点があることから、最近では広く普及している。この種のカラー画像形成装置が備える感光体のうち、黒以外の色の画像を形成するための感光体（以下、カラー用感光体という）よりも黒色の画像を形成するための感光体（以下、黒用感光体という）のほうが酷使される傾向にある。なぜなら、黒用感光体は、黒単色の画像を形成する場合にも使用されるし、カラー画像を形成する場合にも使用されるので、必然的に使用頻度が高くなってしまうからである。そこで、黒用感光体の耐久性をカラー用感光体よりも向上させるための技術が従来から提案されている。例えば特許文献１及び特許文献２には、カラー用感光体と黒用感光体の種類、膜厚、径などの構造を変えることによって黒用感光体の耐久性を向上させることが開示されている。ただし、このように黒用感光体とカラー用感光体とでそれぞれ構造が異なっている場合には、これらの感光体表面に静電潜像を形成するために必要な露光装置の照射光量も異ならせる必要がある。
【０００３】
また、カラー画像形成装置では、黒単色の画像を形成する際の処理速度を向上させるために、黒単色画像形成時における感光体の回転速度をカラー画像形成時よりも速くしたり、カラー画像の画像品質を上げるためにカラー画像と黒単色画像では露光装置のスクリーンを異ならせる、といったことが行われている。このような場合にも、黒単色画像形成時とカラー画像形成時では、各感光体に静電潜像を形成するために必要な露光装置の照射光量が異なってしまう。
【０００４】
上記のように露光装置が感光体に照射する光の光量が異なってしまうと、次のような問題が生じることが知られている。
図１０は、感光体の種類が異なる２種類の画像形成ユニットにおいて、各感光体に照射される光の光量に対する潜像電位と、出力画像のベタ濃度と、出力画像の線幅の関係を示す図である。○印を連ねた点線が画像形成ユニットＡにおける上記関係を示しており、△印を連ねた点線が画像形成ユニットＢにおける上記関係を示している。ここで、潜像電位とは、帯電した感光体表面の電位（帯電電位）と、帯電した感光体が露光により除電された部分の電位（露光電位）との差である。
図１０に示す例では、画像形成ユニットＡと画像形成ユニットＢはいずれも、潜像電位400（Ｖ）でベタ濃度1.625が得られることを意味している。ただし、両ユニットの感光体の感度差により、画像形成ユニットＡの感光体に対する照射光量の方が画像形成ユニットＢのそれよりも大きい。この場合、記録紙に形成される画像の線幅は、画像形成ユニットでは約１１0（μｍ）であるのに対し画像形成ユニットＢでは約95（μｍ）というように、照射光量の大きい画像形成ユニットＡの方が太くなってしまう。さらに、この線幅と同じように、ハイライト再現濃度も照射光量と強い相関関係があることが知られている。
上記のように感度が異なる感光体において同じベタ濃度を得るために潜像電位を同じにしたとしても、露光装置による照射光量が異なっていると、線画像の再現性やハイライト部分の再現性に大きな差が発生してしまうことになる。
【０００５】
次に、図１１は、定格で光量０．７ｍＷ〜５．０ｍＷ（光量可変レンジ７．１倍）の光を照射することが可能なＬＤを使用した場合において、露光装置の光量を実際に変更することが可能な範囲（以下、光量可変レンジという）を示した図である。各々の画像形成ユニットにおいて同一製品のＬＤを使用したとしても、各々の露光装置の間には光学的なばらつきがある。このような露光装置の光学的なばらつきは、露光装置内部の反射ミラーの反射率ばらつきや、ポリゴンミラーの反射率ばらつきや、ウィンドウミラー或いはレンズの透過率ばらつきによって発生し、さらに光量調整時の調整ばらつきが加わる。このため、感光体表面に照射される光の光量も各露光装置でばらつきがあり、一般的には透過効率で５％から１０%程度の間にばらつきが存在する。もちろん、このばらつきは小さいほど好ましいが、ばらつきを小さくしようとするほど露光装置の製造コストが上がってしまう。
【０００６】
図１１では、透過効率５％の露光装置によって光が照射された場合の感光体表面の光量可変レンジ（０．０７ｍＷ〜０．５ｍＷ）と、透過効率１０％の露光装置によって光が照射された場合の感光体表面の光量可変レンジ（０．０３５ｍＷ〜０．２５ｍＷ）とを示している。露光装置の透過効率が最小５％〜最大１０%であることを考慮すると、全ての画像形成ユニットで使用可能な光量可変レンジは、５％と１０％の光量可変レンジが重なり合う部分である３．６倍（０．０７ｍＷ〜０．２５ｍＷ）に減少することになる。さらに、経時的な汚れによる光量低下が例えば１５％程度発生することを想定すると、画像形成装置の初期使用時から利用可能な光量可変レンジは３．０倍（０．０７ｍＷ〜０．２１ｍＷ）に減少してしまう。
【０００７】
所望の潜像電位を得るのに必要な照射光量は、使用環境や経時で変化するため、その時々で適宜補正しなければならないが、この場合、上記の光量可変レンジ３．０倍以内で補正する必要がある。ここで、前述したように黒用感光体に光を照射する露光装置とカラー用感光体に光を照射する露光装置とで照射光量に差があると、それぞれの露光装置で使用可能な光量可変レンジが重なり合う部分はさらに小さくなる。その結果、最終的に各露光装置で共通して使用可能な光量可変レンジは上記の３．０倍よりも小さくなってしまう。さらに照射光量の差が非常に大きい場合は、各露光装置を共通の条件（光量可変レンジ）の下で制御することはできなくなり、画像形成ニット毎に別々の露光装置を用いなければならなくなる。これでは、露光装置を共通化することでコストを削減するといった、コスト面でのメリットを享受できなくなってしまう。
【０００８】
【特許文献１】特開２００２−１０８０４４号公報
【特許文献２】特開２０００−２４２０５７号公報
【発明の開示】
【発明が解決しようとする課題】
【０００９】
そこで、本発明は、感光体の構造や回転速度或いは画像スクリーンなどが異なる場合であっても、ハイライト部分の再現性や線画像の再現性を損なうことなく所望のベタ濃度を得ることができ、さらに露光装置において使用可能な光量の範囲をより広く確保できるようにすることを目的とする。
【課題を解決するための手段】
【００１０】
上述した課題を解決するため、本発明は、黒色の画像を形成する黒用画像形成ユニットと、黒以外の色の画像を形成するカラー用画像形成ユニットとを備えた画像形成装置であって、前記画像形成ユニットの各々は、感光体と、前記感光体を決められた帯電電位に帯電させる帯電装置と、現像される時に決められた露光電位になるような量の光を前記感光体に照射することによって、当該感光体表面に静電潜像を形成する露光装置と、前記静電潜像を現像する現像装置とを備え、さらに、前記黒用画像形成ユニットが有する露光装置が当該画像形成ユニットの感光体に照射する光の量と、前記カラー用画像形成ユニットが有する露光装置が当該画像形成ユニットの感光体に照射する光の量との差が減少するように、前記黒用画像形成ユニットと前記カラー用画像形成ユニットとで前記帯電電位または前記露光電位のうち少なくとも一方を異なる電位に設定する制御手段を備える画像形成装置を提供する。
この画像形成装置によれば、黒用画像形成ユニットが有する露光装置が当該画像形成ユニットの感光体に照射する光の量と、カラー用画像形成ユニットが有する露光装置が当該画像形成ユニットの感光体に照射する光の量との差が減少するように、黒用画像形成ユニットとカラー用画像形成ユニットとで帯電電位または露光電位のうち少なくとも一方を異なる電位に設定する。即ち、黒用画像形成ユニットとカラー用画像形成ユニット光量とで照射する光の量がほぼ同じレベルになるので、ハイライト部分の再現性や線画像の再現性を損なうような虞がない。また、黒用画像形成ユニットとカラー用画像形成ユニットの露光装置において使用可能な光量の範囲を広く確保できる。
【００１１】
本発明が適用される場合は、例えば前記黒用画像形成ユニットの感光体と前記カラー用画像形成ユニットの感光体とは種類が異なっている場合や、前記黒用画像形成ユニットの感光体と前記カラー用画像形成ユニットの感光体とは径が異なっている場合や、前記黒用画像形成ユニットの感光体と前記カラー用画像形成ユニットの感光体とは膜厚が異なっている場合などである。
本発明の好ましい態様においては、前記制御手段は、前記帯電電位と前記露光電位との差分を一定に保ったまま前記黒用画像形成ユニットと前記カラー用画像形成ユニットとで帯電電位または露光電位のうち少なくとも一方を異ならせる。前記帯電電位と前記露光電位との差分が一定であれば一定のベタ濃度を維持することができる。
【００１２】
また、前記画像形成ユニットの使用環境或いは使用状況に応じて前記帯電電位または前記露光電位を補正する補正手段を備える場合には、前記制御手段は、前記補正手段による補正の前後にわたって、前記黒用画像形成ユニットが有する露光装置が当該画像形成ユニットの感光体に照射する光の量と、前記カラー用画像形成ユニットが有する露光装置が当該画像形成ユニットの感光体に照射する光の量との差が減少するように、前記黒用画像形成ユニットと前記カラー用画像形成ユニットとで前記帯電電位または前記露光電位のうち少なくとも一方を異なる電位に設定する。
【００１３】
また、本発明は、黒色の画像を形成する黒用画像形成ユニットと、黒以外の色の画像を形成するカラー用画像形成ユニットとを備えた画像形成装置であって、前記画像形成ユニットの各々は、感光体と、前記感光体を決められた帯電電位に帯電させる帯電装置と、現像される時に決められた露光電位になるような量の光を前記感光体に照射することによって、当該感光体表面に静電潜像を形成する露光装置と、前記静電潜像を現像する現像装置とを備え、さらに、黒色のみの画像を形成する場合に前記黒用画像形成ユニットが有する露光装置が当該画像形成ユニットの感光体に照射する光の量と、黒以外の色を含む画像を形成する場合に前記各画像形成ユニットが有する露光装置が当該画像形成ユニットの感光体に照射する光の量との差が減少するように、黒色のみの画像を形成する場合と黒以外の色を含む画像を形成する場合とで前記帯電電位または前記露光電位のうち少なくとも一方を異なる電位に設定する制御手段を備える画像形成装置を提供する。
この画像形成装置によれば、黒色のみの画像を形成する場合に前記黒用画像形成ユニットが有する露光装置が当該画像形成ユニットの感光体に照射する光の量と、黒以外の色を含む画像を形成する場合に前記各画像形成ユニットが有する露光装置が当該画像形成ユニットの感光体に照射する光の量との差が減少するように、黒色のみの画像を形成する場合と黒以外の色を含む画像を形成する場合とで前記帯電電位または前記露光電位のうち少なくとも一方を異なる電位に設定する。即ち、黒色のみの画像を形成する場合と黒以外の色を含む画像を形成する場合とで照射する光の量がほぼ同じレベルになるので、ハイライト部分の再現性や線画像の再現性を損なうような虞がない。また、黒色のみの画像を形成する場合と黒以外の色を含む画像を形成する場合とで、露光装置が使用可能な光量の範囲を広く確保できる。
【００１４】
本発明が適用されるのは、黒色のみの画像を形成する場合と黒以外の色を含む画像を形成する場合とでは前記感光体が回転する速度が異なるときや、黒のみの画像を形成する場合と黒以外の色を含む画像を形成する場合とでは形成する画像のスクリーンが異なるときである。
【００１５】
本発明の好ましい態様では、前記制御手段は、前記帯電電位と前記露光電位との差分を一定に保ったまま、黒のみの画像を形成する場合と黒以外の色を含む画像を形成する場合とで前記帯電電位または前記露光電位のうち少なくとも一方を異なる電位に設定する。前記帯電電位と前記露光電位との差分が一定であれば一定のベタ濃度を維持することができる。
【００１６】
また、前記画像形成ユニットの使用環境或いは使用状況に応じて前記帯電電位または前記露光電位を補正する補正手段を備える場合には、前記制御手段は、前記補正手段による補正の前後にわたって、黒色のみの画像を形成する場合に前記黒用画像形成ユニットが有する露光装置が当該画像形成ユニットの感光体に照射する光の量と、黒以外の色を含む画像を形成する場合に前記各画像形成ユニットが有する露光装置が当該画像形成ユニットの感光体に照射する光の量との差が減少するように、黒色のみの画像を形成する場合と黒以外の色を含む画像を形成する場合とで前記帯電電位または前記露光電位のうち少なくとも一方を異なる電位に設定する。
【発明の効果】
【００１７】
本発明によれば、ハイライト部分の再現性や線画像の再現性を損なうことがなくなり、かつ、露光装置において使用可能な光量の範囲を広く確保できる。
【発明を実施するための最良の形態】
【００１８】
本発明の実施の形態には、第１〜第６実施形態という６つの形態がある。このうち第１〜第３実施形態は感光体の構造が異なる場合であり、具体的には、第１実施形態が、黒用感光体とカラー用感光体の種類（光感度）が異なる場合の例であり、第２実施形態が、黒用感光体とカラー用感光体の径が異なる場合の例であり、第３実施形態が、黒用感光体とカラー用感光体の膜厚が異なる場合の例である。次に、第４実施形態は、黒単色画像形成時とカラー画像形成時とで感光体の回転速度が異なる場合の例である。そして、第５実施形態は、黒単色画像形成時とカラー画像形成時とで露光装置の画像スクリーン（解像度）が異なる場合の例である。最後に第６実施形態は、上記第１〜第５実施形態において、温度・湿度などの環境変化や感光体の経時変化に応じて、目標とすべき帯電電位と露光電位を補正する場合の例である。以下、これらの実施形態毎に説明していく。
【００１９】
（１）第１実施形態
図１は、本発明の第１実施形態に係る画像形成装置１００の構成を示した図である。画像形成装置１００は、イエロー（Ｙ）色、マゼンダ（Ｍ）色、シアン（Ｃ）色およびブラック（Ｋ）色の各色のトナー像を形成する４つの画像形成ユニット１Ｙ，１Ｍ，１Ｃ，１Ｋと、複数のロール２に掛け渡されて矢印Ａ方向に周回移動させられる中間転写ベルト３と、画像形成ユニット１Ｙ，１Ｍ，１Ｃ，１Ｋから中間転写ベルト３に１次転写されたトナー像を搬送ガイド４によって搬送されてくる記録紙Ｐに２次転写する２次転写ロール５と、記録紙Ｐに２次転写されたトナー像を加熱および加圧することにより記録紙Ｐに定着させる定着器６と、中間転写ベルト３をクリーニングするベルトクリーナ７とを備えている。さらに、画像形成装置１００は、各画像形成ユニット１Ｙ，１Ｍ，１Ｃ，１Ｋがそれぞれ有する感光体の回転数を検出するサイクルカウンタ８と、画像形成装置１００内部の温度及び湿度を検出する温度・湿度センサ９と、各画像形成ユニット１Ｙ，１Ｍ，１Ｃ，１Ｋの動作を制御する制御装置１０とを備えている。
【００２０】
次に、画像形成ユニット１Ｙ，１Ｍ，１Ｃ，１Ｋの構成について説明する。
図２は画像形成ユニット１Ｋの構成を示す図である。図２に示すように、画像形成ユニット１Ｋは、感光体１１Ｋと、感光体１１Ｋを予め決められた帯電電位に帯電させるコロトロン型帯電装置１２Ｋと、帯電した感光体１１Ｋに光を照射して静電潜像を形成する露光装置１３Ｋと、静電潜像に黒色トナーを供給し感光体１１Ｋの表面に黒色トナー像を形成させる現像装置１４Ｋと、中間転写ベルト３にトナー像を１次転写するための１次転写ロール１５Ｋと、感光体１１Ｋの表面に残留するトナーを除去するクリーニング装置１６Ｋとを備えている。感光体１１Ｋと他の画像形成ユニットが備える感光体とはいずれも有機感光体であるが、その有機材料が異なっている。
制御装置１０は、適切と考えられる値の帯電電位を設定し（以下、帯電電位設定という）、感光体１１Ｋとコロトロン型帯電装置１２Ｋの間に電圧を印加することによって感光体１１Ｋの表面を上記帯電電位に帯電させる。また、制御装置１０は、上記帯電電位に対して適切と考えられる値の露光電位を設定し（以下、露光電位設定という）、ＹＭＣＫ各色の画像データのうちの黒色に対応する画像データに基づいて、露光装置１３Ｋを制御して感光体１１Ｋに光を照射させ、照射部分を上記帯電電位から上記露光電位にまで低下させることにより静電潜像を形成する。
【００２１】
画像形成ユニット１Ｋ以外の画像形成ユニット１Ｙ，１Ｍ，１Ｃの構成は、前述したような感光体の種類が異なることと、帯電装置がコロトロン型帯電装置に代えて接触式帯電ロールであることを除いて、上記画像形成ユニット１Ｋと同じ構成である。なお、以下の説明においては、画像形成ユニット１Ｙ，１Ｍ，１Ｃ，１Ｋの各構成であるについては、それぞれ「Ｙ」、「Ｍ」、「Ｃ」、「Ｋ」という符号を付して区別するが、区別する必要のない時は、「Ｋ」、「Ｙ」、「Ｍ」、「Ｃ」という符号は付さない。例えば、画像形成ユニット１Ｙの感光体を意味するときは「感光体１１Ｙ」と表現し、感光体１１Ｙ，１１Ｍ，１１Ｃ，１１Ｋを区別しない場合には「感光体１１」と表現する。
【００２２】
図３は、感光体１１Ｋと感光体１１Ｙ，１１Ｍ，１１Ｃの現像位置における光感度特性（光感度カーブ）を示す。この光感度カーブは、予め決められた帯電電位（図３における光量「０」に対応する電位）に帯電している感光体１１に対し露光装置１３が照射した光の光量と、その露光後の現像位置における露光電位との関係を示している。なお、現像位置とは、図２の符号Ｄで示すような現像装置１４による現像処理が行われる位置である。露光装置１３が露光位置Ｒにおいて除電した後の露光電位は、時間が経過するにつれて減衰していくため、現像位置Ｄにおける露光電位は露光位置Ｒでの露光電位よりも小さくなる。
【００２３】
図３に示すように、帯電電位600（Ｖ）に帯電した感光体を現像位置Ｄにて露光電位200（Ｖ）にまで除電させるのに必要な光量は、□印を実線で連ねて表される感光体１１Ｋでは約2.2（ｍJ/ｍ2）である。これに対し、○印を実線で連ねて表される感光体１１Ｙ，１１Ｍ，１１Ｃでは、現像位置Ｄにて露光電位200（Ｖ）にまで除電させるのに必要な光量が約1.6（ｍJ/ｍ2）である。即ち、感光体１１Ｋと感光体１１Ｙ，１１Ｍ，１１Ｃとでは露光に必要な光量の差が比較的大きい。これでは、先に説明したように、黒色と黒以外の色とで同じようなベタ濃度が得られたとしても、線幅やハイライト再現が大きく異なってしまう。
【００２４】
さらに、温度・湿度や感光体１１の経時などの条件変化に伴って、所定の帯電電位を所定の露光電位に除電するのに必要な光量自体も変化してくるため、これらの条件変化に応じて照射すべき光量を適宜補正しなければならない。このため、画像形成ユニット１Ｋと画像形成ユニット１Ｙ，１Ｍ，１Ｃとについて、それぞれ約2.2（ｍJ/ｍ2）と約1.6（ｍJ/ｍ2）を中心値として適当な光量可変レンジを確保する必要がある。ここでは、例えば感光体１１Ｋについては+/-側に1.0（ｍJ/ｍ2）の光量可変レンジを確保し、感光体１１Ｙ，１１Ｍ，１１Ｃについては+/-側に0.8（ｍJ/ｍ2）の光量可変レンジを確保すると仮定すると、画像形成ユニット１Ｋでは1.2〜3.2（ｍJ/ｍ2）、画像形成ユニット１Ｙ，１Ｍ，１Ｃでは0.8〜2.4（ｍJ/ｍ2）の光量可変レンジが必要となる。従って、露光装置１３Ｋと露光装置１３Ｙ，１３Ｍ，１３Ｃとに同一製品を用いるためには、0.8〜3.2（ｍJ/ｍ2）という４倍の範囲で光量を補正可能な露光装置が必要となってしまう。しかしながら、このような広い光量可変レンジをカバーするには、先に説明したように、光学系の透過効率のばらつきを小さく抑えたり、汚れによる光量低下量を小さく抑える必要があり、露光装置１３のコストアップにつながってしまう。
【００２５】
図３を参照すればわかるように、感光体１１の光感度カーブは、電位が低くなると傾きが小さくなるため、感光体１１Ｋにおいて潜像電位（即ち帯電電位−露光電位）400（Ｖ）を得るのに必要な光量は、帯電電位そのものを上げることで小さくすることができる。そこで、本実施形態では、帯電電位と露光電位とを、画像形成ユニット１Ｋと画像形成ユニット１Ｙ，１Ｍ，１Ｃとでそれぞれ異なる値に設定することで、露光装置１３Ｋ，１３Ｙ，１３Ｍ，１３Ｃから照射される光の光量をほぼ同じ値にさせるようにしている。具体的には、制御装置１０は、画像形成ユニット１Ｙ，１Ｍ，１Ｃについては、温度・湿度センサ９によって得られる温度・湿度やサイクルカウンタ８によって得られる感光体１１Ｙ，１１Ｍ，１１Ｃの累積回転数を考慮しながら、帯電電位600（Ｖ）を得るための帯電電位設定と、帯電電位600（Ｖ）において露光電位200（Ｖ）を得るための露光電位設定を実行する。一方、制御装置１０は、画像形成ユニット１Ｋについては、温度・湿度センサ９によって得られる温度・湿度およびサイクルカウンタ８によって得られる感光体１１Ｋの累積回転数を考慮しながら、帯電電位700（Ｖ）を得るための帯電電位設定と、帯電電位700（Ｖ）において露光電位300（Ｖ）を得るための露光電位設定を実行する。
【００２６】
この結果、図３において、○印を実線で連ねて表される光感度カーブと、△印を実線で連ねて表される光感度カーブとを比較するとわかるように、画像形成ユニット１Ｙ，１Ｍ，１Ｃと画像形成ユニット１Ｋとおいては、同じ潜像電位400（Ｖ）を得るために照射すべき光の光量は約1.6（ｍＪ/ｍ2）でほぼ同じ値となる。光量が同じであれば、黒色画像とカラー画像とで線幅やハイライト再現がほぼ同じとなるし、この1.6（ｍＪ/ｍ2）を中心とした比較的狭い範囲でのみ光量を補正すればよいことになるから画像形成ユニット１Ｙ，１Ｍ，１Ｃと画像形成ユニット１Ｋとで露光装置１３の共通化が図れる。
【００２７】
なお、第１実施形態において、ＫとＴ，Ｍ，Ｃとでそれぞれ光量1.6（ｍＪ/ｍ2）を中心とした補正を行う際には、図３に示すように傾きがそれぞれ異なるカーブ領域を使って補正することになるから、黒色画像とカラー画像とで階調再現性に差が発生することも懸念される。しかしながら、カラーバランスを得るのに重要なのはＹ，Ｍ，Ｃ間の階調再現性であるため、Ｋと、Ｙ，Ｍ，Ｃとの間の光感度カーブの差は実使用上ほとんど問題とならない。
なお、第１実施形態では、異なる種類の有機感光体の例で説明したが、このほかにも例えばアモルファスシリコンによって形成された感光体と有機感光体といったように、感光体の種類が異なる場合であってもよい。
【００２８】
（２）第２実施形態
第２実施形態は、前述したように、感光体１１Ｋと感光体１１Ｙ，１１Ｍ，１１Ｃの種類は同じでドラム径が異なる場合の例である。具体的には、図４に示す通り、感光体１１Ｋの径はφ60（ｍｍ）であり、感光体１１Ｙ，１１Ｍ，１１Ｃの径φ40（ｍｍ）の１．５倍になっている。その他の構成は第１実施形態と同じである。
全ての感光体１１Ｋ，１１Ｙ，１１Ｍ，１１Ｃが同じ線速度260（ｍｍ/ｓ）で回転しているとしても、感光体１１の径が異なると、感光体１１の表面が露光位置Ｒから現像位置Ｄに周回移動するまでの時間が異なる。例えば感光体１１Ｋ及び感光体１１Ｙ，１１Ｍ，１１Ｃにおいて露光位置Ｒから現像位置Ｄに至るまでの中心角度が50°の場合、感光体１１が露光位置Ｒから現像位置Ｄまで周回移動するのに要する時間は、感光体１１Ｋでは100.8（ｍｓ）であるのに対し、感光体１１Ｙ，１１Ｍ，１１Ｃでは66.9（ｍｓ）になる。従って、帯電装置１２によって各感光体１１を同じ帯電電位に帯電したとしても、露光電位は露光時からの経過時間に応じて減衰していくため、感光体１１Ｋの現像位置Ｄと感光体１１Ｙ，１１Ｍ，１１Ｃの現像位置Ｄとでは露光電位が異なってしまう。
【００２９】
このような周回移動に要する時間による影響は、低温環境の方がより大きいため、以下では低温環境における例で説明する。
図５は、露光位置Ｒから現像位置Ｄまでの周回移動時間が66.9（ｍｓ）の場合と、100.8（ｍｓ）の場合における光感度カーブを示す図である。図５に示すように、同じ種類の感光体１１を同じ帯電電位600（Ｖ）に帯電した場合であっても、周回移動時間が長い方が現像位置Ｄにおける露光電位は低くなるため、照射すべき光量が異なる。例えば帯電電位600（Ｖ）で露光電位200（Ｖ）を得るための光量は、□印を実線で連ねて表される光感度カーブ（周回移動時間66.9ｍｓの場合）では約2.2（ｍJ/ｍ2）であるのに対し、○印を実線で連ねて表される光感度カーブ（周回移動時間100.8ｍｓの場合）では約1.8（ｍJ/ｍ2）となる。このように照射光量の差が大きいと、第１実施形態で説明した内容と同様の問題が生じてしまう。
【００３０】
感光体１１の光感度カーブは、電位が低くなると傾きが小さくなるため、感光体１１Ｋにおいて潜像電位400（Ｖ）を得るのに必要な光量は、帯電電位そのものを下げることで大きくすることができる。そこで、第２実施形態では、帯電電位と露光電位とを、画像形成ユニット１Ｋと画像形成ユニット１Ｙ，１Ｍ，１Ｃとでそれぞれ異なる値に設定することで、露光装置１３Ｋ，１３Ｙ，１３Ｍ，１３Ｃから照射される光の光量をほぼ同じ値にさせるようにしている。具体的には、制御装置１０は、画像形成ユニット１Ｙ，１Ｍ，１Ｃについては、温度・湿度センサ９によって得られる温度・湿度やサイクルカウンタ８によって得られる感光体１１Ｙ，１１Ｍ，１１Ｃの累積回転数を考慮しながら、帯電電位600（Ｖ）を得るための帯電電位設定と、帯電電位600（Ｖ）において露光電位200（Ｖ）を得るための露光電位設定を実行する。一方、制御装置１０は、画像形成ユニット１Ｋについては、温度・湿度センサ９によって得られる温度・湿度およびサイクルカウンタ８によって得られる感光体１１Ｋの累積回転数を考慮しながら、帯電電位550（Ｖ）を得るための帯電電位設定と、帯電電位550（Ｖ）において露光電位150（Ｖ）を得るための露光電位設定を実行する。
【００３１】
この結果、図５の□印を実線で連ねて表される光感度カーブと、△印を実線で連ねて表される光感度カーブとを比較するとわかるように、画像形成ユニット１Ｙ，１Ｍ，１Ｃと画像形成ユニット１Ｋとにおいて、照射すべき光の光量は約2.2（ｍＪ/ｍ2）でほぼ同じ値となる。
なお、この第２実施形態においても、ＫとＹ，Ｍ，Ｃとで光量の補正の際には傾きが異なるカーブ領域を使って補正することになるが、前述した内容と同様の理由で実使用上の問題はない。
【００３２】
（３）第３実施形態
第３実施形態は、感光体１１Ｋと感光体１１Ｙ，１１Ｍ，１１Ｃの種類は同じで膜厚が異なる場合の例である。具体的には、感光体１１Ｋは膜厚３２（μ）の有機感光体であり、感光体１１Ｙ，１１Ｍ，１１Ｃは膜厚２４（μ）の有機感光体である。感光体１１の膜厚が薄いほど、形成される電界強度が大きくなるので、ある露光電位にまで除電するために必要な光量が増加する。その他の構成は第１実施形態と同じであるから、説明を省略する。
ここで、図６は、膜厚３２（μ）の感光体と、膜厚２４（μ）の感光体の光感度カーブを示す図である。図６に示すように、同じ光感度の感光体１１を同じ帯電電位600（Ｖ）に帯電して同じ光量の光を照射した場合であっても、膜厚が厚いほど露光電位は低くなる。例えば感光体１１を帯電電位600（Ｖ）に帯電した後に露光電位200（Ｖ）を得るための光量は、○印を実線で連ねて表される光感度カーブ（膜厚３２（μ）の場合）では約1.8（ｍJ/ｍ2）であるのに対し、□印を実線で連ねて表される光感度カーブ（膜厚２４（μ）の場合）では約2.2（ｍJ/ｍ2）となる。このように照射光量の差が大きいと、第１実施形態で説明した内容と同様の問題が生じてしまう。
【００３３】
感光体１１の光感度カーブは、電位が低くなると傾きが小さくなるため、感光体１１Ｋにおいて潜像電位（即ち帯電電位−露光電位）400（Ｖ）を得るのに必要な光量は、帯電電位そのものを下げることで大きくすることができる。そこで、第３実施形態では、帯電電位と露光電位とを、画像形成ユニット１Ｋと画像形成ユニット１Ｙ，１Ｍ，１Ｃとでそれぞれ異なる値に設定することで、露光装置１３Ｋ，１３Ｙ，１３Ｍ，１３Ｃから照射される光の光量をほぼ同じ値にさせるようにしている。具体的には、制御装置１０は、画像形成ユニット１Ｙ，１Ｍ，１Ｃについては、温度・湿度センサ９によって得られる温度・湿度やサイクルカウンタ８によって得られる感光体１１Ｙ，１１Ｍ，１１Ｃの累積回転数を考慮しながら、帯電電位600（Ｖ）を得るための帯電電位設定と、帯電電位600（Ｖ）において露光電位200（Ｖ）を得るための露光電位設定を実行する。一方、制御装置１０は、画像形成ユニット１Ｋについては、温度・湿度センサ９によって得られる温度・湿度やサイクルカウンタ８によって得られる感光体１１Ｙ，１１Ｍ，１１Ｃの累積回転数を考慮しながら、帯電電位550（Ｖ）を得るための帯電電位設定と、帯電電位550（Ｖ）において露光電位150（Ｖ）を得るための露光電位設定を実行する。
【００３４】
この結果、図６の□印を実線で連ねて表される光感度カーブと、△印を実線で連ねて表される光感度カーブとを比較するとわかるように、画像形成ユニット１Ｙ，１Ｍ，１Ｃと画像形成ユニット１Ｋとにおいて、照射すべき光の光量は約2.2（ｍＪ/ｍ2）でほぼ同じ値となる。
なお、この第３実施形態においても、ＫとＹ，Ｍ，Ｃとで光量の補正の際には傾きが異なるカーブ領域を使って補正することになるが、前述した内容と同様の理由で実使用上の問題はない。
【００３５】
（４）第４実施形態
第４実施形態は、感光体１１の種類は同じであるが、黒単色画像形成時とカラー画像形成時とで感光体１１の回転速度が異なる場合の例であり、それ以外の構成は第１実施形態と同じである。黒単色画像形成時にはプリント生産性をあげるために感光体１１の回転速度をカラー画像形成時に比べて早くすることがある。このように黒単色画像形成時とカラー画像形成時で感光体１１の回転速度が異なると、第２実施形態の場合と同様に露光位置Ｒから現像位置Ｄに至るまでの周回移動時間が異なってしまう。これにより、例えば既に説明した図５と同じように、露光位置Ｒから現像位置Ｄまでの周回移動時間が66.9（ｍｓ）の場合と100.8（ｍｓ）の場合のように、感光体１１Ｋと感光体と１１Ｙ，１１Ｍ，１１Ｃとでは現像位置Ｄにおける露光電位が異なってしまう。
【００３６】
そこで、第４実施形態では、黒単色画像形成時とカラー画像形成時とで画像形成ユニット１における帯電電位と露光電位とを異ならせている。具体的には、制御装置１０は、黒単色画像形成時には、温度・湿度センサ９によって得られる温度・湿度およびサイクルカウンタ８によって得られる感光体１１Ｋの回転数を考慮しながら、帯電電位600（Ｖ）を得るための帯電電位設定と、帯電電位600（Ｖ）において露光電位200（Ｖ）を得るための露光電位設定を実行する。一方、制御装置１０は、カラー画像形成時には、温度・湿度センサ９によって得られる温度・湿度およびサイクルカウンタ８によって得られる感光体１１Ｙ，１１Ｍ，１１Ｃ，１１Ｋの回転数を考慮しながら、帯電電位550（Ｖ）を得るための帯電電位設定と、帯電電位550（Ｖ）において露光電位150（Ｖ）を得るための露光電位設定を実行する。この結果、図５に示したように、黒単色画像形成時とカラー画像形成時とで、照射すべき光の光量は約2.2（ｍＪ/ｍ2）でほぼ同じ値となる。
【００３７】
（５）第５実施形態
第５実施形態は、感光体１１の種類は同じであるが、黒単色画像形成時とカラー画像形成時とで露光装置１３の画像スクリーンが異なる場合の例であり、それ以外の構成は第１実施形態と同じである。黒単色画像とカラー画像では要求される画質が異なるため、黒単色画像形成時とカラー画像形成時では画像のスクリーン構造（解像度）が異ならせるのが一般的である。例えば黒単色画像形成時では解像度を上げて線画像再現性を重視する一方、カラー画像形成時には階調数を上げて階調再現性を重視する。
ここで、図７は、画像密度と感光体の電位との関係を画像のスクリーン構造毎に示した図である。図７に示すように、感光体１１を帯電電位600（Ｖ）に帯電させた場合、同じ画像密度80％の画像を用いたとしても、黒単色画像時とカラー画像形成時とでは画像のスクリーン構造が異なるために露光電位が異なってしまう。即ち、カラー画像形成時の露光電位の方が黒単色画像形成時よりも高くなる。よって、カラー画像形成時と黒単色画像形成時とでいずれも露光電位を200（Ｖ）になるように光量を設定した場合、カラー画像形成時の方が光量を大きくする必要がある。これでは、第４実施形態と同様の問題が発生してしまう。
【００３８】
そこで第５の実施形態でも第４実施形態と同様に、黒単色画像形成時とカラー画像形成時とで帯電電位と露光電位とを異ならせている。具体的には、制御装置１０は、黒単色画像形成時には、温度・湿度センサ９によって得られる温度・湿度およびサイクルカウンタ８によって得られる感光体１１Ｋの累積回転数を考慮しながら、帯電電位550（Ｖ）を得るための帯電電位設定と、帯電電位550（Ｖ）において露光電位150（Ｖ）を得るための露光電位設定を実行する。一方、制御装置１０は、カラー画像形成時には、温度・湿度センサ９によって得られる温度・湿度およびサイクルカウンタ８によって得られる感光体１１Ｙ，１１Ｍ，１１Ｃ，１１Ｋの回転数を考慮しながら、帯電電位600（Ｖ）を得るための帯電電位設定と、帯電電位550（Ｖ）において露光電位200（Ｖ）を得るための露光電位設定を実行する。この結果、黒単色画像形成時の光量がより大きくなって、カラー画像形成時の光量とほぼ等しくなるから、前述したような露光電位設定が異なることによる問題を解決することができる。
【００３９】
（６）第６実施形態
前述の第１実施形態から第５実施形態では、制御装置１０が、感光体１１Ｋと感光体１１Ｙ，１１Ｍ，１１Ｃとについて、又は、黒単色画像形成時とカラー画像形成時とにおいて、それぞれ予め定められた帯電電位が予め定められた露光電位になるように帯電電位設定と露光電位設定を行っていた。
ところで、画像形成装置においては、温度・湿度などの使用環境の変化や、感光体経時などの使用状況の変化に応じて、目標とすべき帯電電位と露光電位のそのものを補正する場合がある。このように帯電電位と露光電位とを様々に補正するためには、それぞれの画像形成ユニットにおいて露光装置の光量可変レンジをより広く確保しておく必要がある。ところが、光量可変レンジをより広く確保しようとすると、先に説明したような問題が発生してしまう。そこで、第６実施形態では、目標となる帯電電位と露光電位を使用環境や使用状況の変化に応じて補正する場合であっても、露光装置から照射する光の光量をほぼ同じにするようにしている。具体的な仕組みは以下の通りである。
【００４０】
図８は、感光体１１Ｋと、感光体１１Ｙ，１Ｍ，１１Ｃの現像位置における光感度カーブを示す図である。前述した第１実施形態では、帯電電位600（Ｖ）と露光電位200（Ｖ）を得るための光量が画像形成ユニット１Ｋと画像形成ユニット１Ｙ，１Ｍ，１Ｃとで異なるため、画像形成ユニット１Ｙ，１Ｍ，１Ｃでは帯電電位600（Ｖ）と露光電位200（Ｖ）を得るような帯電電位設定と露光電位設定を行い、画像形成ユニット１Ｋでは帯電電位700（Ｖ）と露光電位300（Ｖ）を得るような帯電電位設定と露光電位設定を行った。ただし、これらの帯電電位と露光電位は使用環境や使用状況の変化により変更されないものと仮定していた。この第６実施形態では、常湿度では帯電電位600（Ｖ）と露光電位200（Ｖ）とし、高湿度では帯電電位550（Ｖ）と露光電位200（Ｖ）というように、湿度に応じて帯電電位と露光電位の目標を補正する場合について説明する。
【００４１】
図８を参照するとわかるように、感光体１１Ｙ，１１Ｍ，１１Ｃでは、帯電電位600（Ｖ）において露光電位200（Ｖ）を得るための光量は約1.6（ｍJ/m2）であり、帯電電位550（Ｖ）において露光電位200（Ｖ）を得るための光量は約1.4（ｍJ/m2）である。一方、感光体１１Ｋでは、帯電電位600（Ｖ）において露光電位200（Ｖ）を得るための光量は約2.2(ｍJ/m2）であり、帯電電位550（Ｖ）において露光電位200（Ｖ）を得るための光量は約1.9（ｍJ/m2）となる。つまり同じ感光体１１であっても、帯電電位と露光電位の目標値を補正することで必要とされる光量が異なるし、かつ、感光体１１の種類が異なることでも必要される光量が異なる。これは、第１実施形態において指摘した不都合（即ち、それぞれの画像形成ユニット１において露光装置１３の光量可変レンジを確保しなければならないということ）がより大きな問題になってしまうことを意味している。
【００４２】
そこで、制御装置１０は、画像形成ユニット１Ｙ，１Ｍ，１Ｃについては、温度・湿度センサ９によって得られる温度・湿度やサイクルカウンタ８によって得られる感光体１１Ｙ，１１Ｍ，１１Ｃの累積回転数を考慮しながら、常湿度では帯電電位600（Ｖ）を得るための帯電電位設定と、帯電電位600（Ｖ）において露光電位200（Ｖ）を得るための露光電位設定を実行し、高湿度では帯電電位550（Ｖ）を得るための帯電電位設定と、帯電電位550（Ｖ）において露光電位200（Ｖ）を得るための露光電位設定を実行する。一方、制御装置１０は、画像形成ユニット１Ｋについては、温度・湿度センサ９によって得られる温度・湿度およびサイクルカウンタ８によって得られる感光体１１Ｋの累積回転数を考慮しながら、常湿度では帯電電位700（Ｖ）を得るための帯電電位設定と、帯電電位700（Ｖ）において露光電位300（Ｖ）を得るための露光電位設定を実行し、高湿度では、帯電電位650（Ｖ）を得るための帯電電位設定と、帯電電位650（Ｖ）において露光電位300（Ｖ）を得るための露光電位設定を実行する。
【００４３】
これにより、図９に示した□印を実線で連ねて表される光感度カーブと、○印を実線で連ねて表される光感度カーブとを比較するとわかるように、常湿度では、画像形成ユニット１Ｙ，１Ｍ，１Ｃと画像形成ユニット１Ｋとおいては、同じ潜像電位400（Ｖ）を得るために照射すべき光の光量は約1.6（ｍＪ/ｍ2）でほぼ同じ値となる。また、図９に示した△印を実線で連ねて表される光感度カーブと、◇印を実線で連ねて表される光感度カーブとを比較するとわかるように、高湿度では、画像形成ユニット１Ｙ，１Ｍ，１Ｃと画像形成ユニット１Ｋとおいては、同じ潜像電位350（Ｖ）を得るために照射すべき光の光量は約1.4（ｍＪ/ｍ2）でほぼ同じ値となる。
【００４４】
なお、この第６実施形態では、湿度に応じて帯電電位の目標値を補正したが、帯電電位と露光電位の双方の目標値を補正したり、露光電位の目標値のみを補正したりしてもよい。さらに湿度以外の使用環境の変化や、経時などの使用状況の変化に応じて帯電電位や露光電位の目標値を補正する画像形成装置においても第６実施形態の発想を適用してもよい。なお、ここでは説明を簡単にするために、図８に示した光感度カーブは湿度で変化しないものと仮定しているが、変化する場合でも同じ効果が得られる。
【００４５】
以上説明したように、第１〜第６実施形態においては、制御装置１０が、画像形成ユニット１Ｋと画像形成ユニット１Ｙ，１Ｍ，１Ｃとで別々に帯電電位設定と露光電位設定とを行ったり、黒単色画像形成時とカラー画像形成時とで別々に帯電電位設定と露光電位設定とを行ったり、さらに加えて、サイクルカウンタ８や温度・湿度センサ９による検出値に基づいて帯電電位設定と露光電位設定とを行うので、露光装置１３によって照射する光量をほぼ同じにすることが可能となる。従って、ハイライト部分の再現性や線画像の再現性を損なうことなく所望のベタ濃度を得ることができなり、かつ、露光装置１３の光量可変レンジを広く確保できる。
【００４６】
なお、上述した第１実施形態から第６実施形態では、制御装置１０が潜像電位（帯電電位−露光電位）を一定に保ったまま帯電電位と露光電位の両者を変更していたが、これはベタ濃度を変動させないためである。もしこの変動が許されるのであれば、制御装置１０は、帯電電位と露光電位のどちらか一方のみを変更し、これによって照射される光の光量を同じになるように調整してもよい。
また、画像形成装置１００は、中間転写ベルト３を用いるタンデム構成の画像形成装置であったが、中間転写ベルト以外の中間転写体を用いるものであってもよい。さらに、中間転写方式に限定されず、用紙搬送ベルトに担持された記録媒体、あるいはロールで搬送される記録媒体に直接転写する方式であってもよい。
【図面の簡単な説明】
【００４７】
【図１】本発明の第１実施形態に係る画像形成装置の構成を示す図である。
【図２】同画像形成装置が備える画像形成ユニットの構成を示す図である。
【図３】本発明の第１実施形態における感光体と感光体の現像位置における光感度特性を示す図である。
【図４】本発明の第２実施形態に係る画像形成装置の構成を示す図である。
【図５】本発明の第２実施形態における径が異なる感光体の現像位置における光感度特性を示す図である。
【図６】本発明の第３実施形態における膜厚が異なる感光体の現像位置における光感度特性を示す図である。  同実施形態における濃度補正処理を説明するためのフローチャートである。
【図７】本発明の第４実施形態における異なる画像スクリーンの感光体の現像位置おける光感度特性を示す図である。
【図８】本発明の第５実施形態における感光体と感光体の現像位置における光感度特性を示す図である。
【図９】本発明の第５実施形態における感光体と感光体の現像位置における光感度特性を示す図である。
【図１０】２種類の画像形成ユニットにおける潜像電位と、出力画像のベタ濃度と、出力画像の線幅との関係を示す図である。
【図１１】定格で０．７ｍＷから５．０ｍＷの出力が可能なＬＤを使用した場合の光量可変レンジのばらつきを示した図である。
【符号の説明】
【００４８】
１Ｙ，１Ｍ，１Ｃ，１Ｋ・・・画像形成ユニット、３・・・中間転写ベルト、８・・・サイクルカウンタ、９・・・温度・湿度センサ、１０・・・制御装置、１１Ｋ・・・感光体、１２Ｋ・・・帯電装置、１３Ｋ・・・露光装置、１４Ｋ・・・現像装置、１５Ｋ・・・１次転写ロール。
【図１】
2005078030.tif 000003
【図２】
2005078030.tif 000004
【図３】
2005078030.tif 000005
【図４】
2005078030.tif 000006
【図５】
2005078030.tif 000007
【図６】
2005078030.tif 000008
【図７】
2005078030.tif 000009
【図８】
2005078030.tif 000010
【図９】
2005078030.tif 000011
【図１０】
2005078030.tif 000012
【図１１】
2005078030.tif 000013